(57)【要約】【課題】従来のライトに直接LEDカラーバルブを取り付け、且つ赤外線リモコンにより直接コントロールすべく、赤外線リモコン機能を具有する高ワット発光ダイオードによるカラーバルブを提供する。【解決手段】カップ部１０、カラーLEDチップ部２２を内設したLEDモジュール２０、コントロール回路板３１を内設したホルダ３０’より構成し、該LEDモジュール２０を該カップ部１０末端に設置し、該LEDモジュール２０を該コントロール回路板３１上に接続し、該カップ部１０上には末端より先端に延伸する導光孔１３或いは導光棒１４を設け、該コントロール回路上３１上の赤外線センサ３３’に対応させることにより、各モードで操作すべく赤外線リモコン機能を提供し、また該赤外線センサ３３’は該カップ部１０先端に設けることで該導光孔１３或いは導光棒１４により該カップ部１０前方より来る赤外線シグナルを受信する。【選択図】  図１
2006190669.tif 000002
【特許請求の範囲】
【請求項１】
カップ部、発光ダイオード（LED）チップ部を内設する発光ダイオード（LED）モジュール、並びにコントロール回路を内設するホルダより構成される赤外線リモコン機能を具有する高ワット発光ダイオードによるカラーバルブにおいて、
末端個所に連結部を具有し、且つ穿孔及び導光孔が設けられる該カップ部と、
該カップ部の連結部に設置される基板、並びに該基板前側に設けられるLEDチップ部、を具有し、且つ該基板には該LEDチップ部と電気的に接続される金属ピンを具有し、また該LEDチップ部には少なくとも二つのLEDチップを具有する該LEDモジュールと、
該カップ部末端に嵌設され、内部のコントロール回路板上には該動向孔末端に対応して設けられる赤外線センサを具有し、該LEDモジュールの金属ピンが該コントロール回路板に電気的に接続され、且つ該コントロール回路板がバルブアダプタに電気的に接続される該ホルダと、
を具有することを特長とする赤外線リモコン機能を具有する高ワット発光ダイオードによるカラーバルブ。
【請求項２】
該カップ部の導光孔中には導光棒が設置されることを特徴とする請求項１記載の赤外線リモコン機能を具有する高ワット発光ダイオードによるカラーバルブ。
【請求項３】
該ホルダ内部には回路板を電気的に接続するACDCコンバータが設けられ、該ホルダ末端にはバルブアダプタが設けられ、該バルブアダプタの二つの電極はそれぞれ該ACDCコンバータの二つの電極に接続されることを特徴とする請求項１記載の赤外線リモコン機能を具有する高ワット発光ダイオードによるカラーバルブ。  
【請求項４】
該カップ部の導光孔中には導光棒が設置されることを特徴とする請求項３記載の赤外線リモコン機能を具有する高ワット発光ダイオードによるカラーバルブ。
【請求項５】
該LEDチップ部が光を発する前方には光混合部が設けられることを特徴とする請求項１，２，３或いは請求項４記載の赤外線リモコン機能を具有する高ワット発光ダイオードによるカラーバルブ。  
【請求項６】
該コントロール回路板上には金属ピンを挿設して電気的に接続する接続パーツが設けられていることを特徴とする請求項１，２，３或いは請求項４記載の赤外線リモコン機能を具有する高ワット発光ダイオードによるカラーバルブ。
【請求項７】
該カップ部は熱伝導性を具有する金属製のカップであり、外周面には放熱フィンが設けられることを特徴とする請求項１，２，３或いは請求項４記載の赤外線リモコン機能を具有する高ワット発光ダイオードによるカラーバルブ。  
【請求項８】
該カップ部先端には透光性を具有する透光部が設けられることを特徴とする請求項１，２，３或いは請求項４記載の赤外線リモコン機能を具有する高ワット発光ダイオードによるカラーバルブ。
【請求項９】
該発光ダイオードモジュールの基板は熱伝導性を具有する金属によるものであり、且つボルトにより該基板を穿設して該カップ部末端に螺設固定されることを特徴とする請求項１，２，３或いは請求項４記載の赤外線リモコン機能を具有する高ワット発光ダイオードによるカラーバルブ。  
【発明の詳細な説明】
【技術分野】
【０００１】
本発明は赤外線リモコン機能を具有する高ワット発光ダイオード（LED）によるカラーバルブに係り、特に赤外線リモコン機能を具有し、高ワット発光ダイオードを光源とするカラーバルブの構造に関わる。
【背景技術】
【０００２】
発光ダイオードの製造技術が向上するにつれ、発光ダイオードは高ワットに耐え得るものとなっている。早期では発光ダイオードはディスプレイ用パネル等特殊な用途のみに用いられていたが、現在では一般の照明器具にも用いられるようになり、従来のようなハロゲンランプに取って代わるものとなりつつある。実際にライトとして用いる場合、ライトは主にホルダ内に回路板を具有し、該ホルダ先端にカップ部を具有し、該カップ部内に回路板と電気的に接続される多数の高ワット発光ダイオード（LED）が設けられる。こうしたライトを壁や天井等に固定し、電源と電気的に接続し、使用者によりスイッチを操作することでライト中の該LEDが点灯したり消灯したりするようになっている。
【発明の開示】
【発明が解決しようとする課題】
【０００３】
しかし上述のようなライトには以下の欠点がある。
従来のライトは単色のバルブによるものが多く、またコントロールも点灯と消灯の二つのモードのみと単純であり、LEDによるカラーバルブに交換したとしても、色を変化させるモードを具えていない、或いはコントローラを交換しなければ十分にその機能を果たせない。こういった場合、実際はリモコンで直接操作するほうが簡単であるが、従来の単色のライトは、赤外線リモコン機能を備えていないため、従来のライトを実用性の高いLEDによるカラーバルブに換えたとしても、ライト自体がリモコン機能を備えるものに交換しなければならない。つまりこういった交換による方法では、時間も経費もかかり不経済であることが言える。
そこで従来のライトを交換せずに直接LEDカラーバルブを取り付け、且つ赤外線リモコンにより直接コントロールすべく、本発明の赤外線リモコン機能を具有する高ワット発光ダイオードによるカラーバルブを提供する。
【課題を解決するための手段】
【０００４】
カップ部、及び内部にカラーLEDチップ部を具有するLEDモジュール、並びにコントロール回路板を具有するホルダにより、赤外線リモコン機能を具有する高ワットLEDによるカラーバルブを構成するが、詳細には該LEDモジュールを該カップ部に設置して該カラーLEDチップ部を該カップ部内に設置し、該ホルダを該カップ部末端に設置し、該発光LEDモジュールを該ホルダのコントロール回路板に電気的に接続する。該コントロール回路板上には赤外線センサを設け、また該カップ部上には、先端より末端の該ホルダ内赤外線センサ個所にまで延伸する導光孔を設ける。
また上述の該カラーバルブにおいて、更に実用性を高めるべく、該ホルダ内部には回路板と電気的に接続されたACDCコンバータを設け、該ホルダ末端にバルブアダプタを設け、現在一般的に使用されているソケット上の交流電源に直接装着できるようにし、該バルブアダプタの二つの電極をそれぞれACDCコンバータの二電極に接続する。
【発明の効果】
【０００５】
本発明によると、バルブの中に直接コントロール回路と赤外線センサを設けることにより、従来のライトを交換しなくともバルブを交換するだけで、赤外線リモコン機能を具有するLEDによるカラーバルブが使用できるようになり、更に従来の点灯消灯スイッチ機能に加わり、色合いの変化や選択、及び明るさ調整のモードが使用できるようになり、同時に導光孔や導光棒により、ライトの先端より末端に延伸する回路板上の赤外線センサを赤外線シグナル導引用として用い、赤外線センサがカップ部末端に設置されたことでLEDチップ部より遠い個所に位置し、且つ発光時に生ずる熱を放熱する効果を提供し、赤外線機能の正常な働きを確保する等、多数の効果が得られる。
【発明を実施するための最良の形態】
【０００６】
本発明の赤外線リモコン機能を具有する高ワット発光ダイオード（LED）によるカラーバルブは、図１に示すように高ワットLEDによるカラーバルブ１にカップ部１０、カラーLEDチップ部２２を内部に設置したLEDモジュール２０、並びに内部にコントロール回路３１を設けたホルダ３０を具有する。
該カップ部１０は金属、プラスチック、或いは其の他の材質によるものとし、円錐状或いは椀のような形状を呈したものとするが、熱伝導性を具有する金属材質によるものが最も理想的である。また該カップ部１０は放熱効果を高めるべく外周面に放熱フィン１１を設けると尚効果的である。該カップ部１０内側には反射面が設けられ、該カップ部１０の末端には連結部１６が設けられ、該連結部１６の中央個所には貫通する穿孔２が設けられる。該カップ部１０上には先端より末端まで貫通する導光孔１３が設けられ、該導光孔１３には導光棒１４を増設するのが最も好ましい。該カップ部１０先端には透光性を具有する透光部１５を具有するが、詳細には該透光部１５は平坦な板状の透明な板の透光分１５a、或いは図５に示すような多数に屈折する表面を具有する透光部１５bとする。
該LEDモジュール２０には基板２１及び該基板２１前側面のカラーLEDチップ部２２を含み、該基板２１は図１に示すように、その末端には該LEDチップ部２２と電気的に接続される数本のピンが設けられ、且つ該LEDモジュール２０はボルトで該基板２１を穿設し、該カップ部１０を該連結部１６中に螺設固定し、該LEDチップ部２２を該カップ部１０内に定位する。該基板２１は熱伝導性を具有する金属製によるものであることから、該LEDチップ部は発光により生ずる熱を該基板２１より該カップ部１０上の比較的広い放熱可能な面積に伝導させる。
更に該LEDモジュール２０は、図２に示すように、その第二実施例では基板２４が図１に示す基板２１に換えられたものであり、図２に示す基板２４とは、カラーLEDチップ部２２が設けられている他、その周辺に該LEDチップ部２２と電気的に接続される数個の金属ポイントが設けられており、該金属ポイントは該基板２４の側面周辺に設けられ、該LEDモジュール２０を該カップ部１０内に設置することで、該LEDチップ部２２が該カップ部１０内に設置される。
図１或いは図２に示すカラーLEDチップ２２は、少なくとも二つ以上の異なる原色のLEDチップを組み合わせたもの、或いは少なくとも二つ以上の同じ原色のLEDチップよりなるものとし、一部のLEDチップの光を発する側は、該LEDチップの色とは異なる蛍光物を塗布し、これにより異なる色で発光するようにする。該LEDチップ部２２の光を発する側には光混合部２３を設け、該LEDチップ部２２が発する各色の光を該光混合部２３によってむらなく混合及び散乱させる効果を提供する。
該ホルダ３０においては、該カップ部１０末端に嵌設される空洞を呈したホルダであり、内部にはコントロール回路３１を設置する。また該コントロール回路３１上には赤外線センサ３３が設けられ、且つ該赤外線センサ３３は該導光孔１３に相対、若しくは該導光棒１４の末端に相対して設けられることから、該LEDモジュール２０末端の金属ピン或いはポイントが該コントロール回路３１上に直接電気的に接続される。或いは図に示すように該コントロール回路３１上の連結部３２が該金属ピン或いはポイントと連結する個所を提供し、該コントロール回路３１と電気的に接続されるようにし、該コントロール回路３１が該バルブアダプタ３４と電気的に接続され、該バルブアダプタ３４は該ホルダ３０を穿設することで電源を外接する個所を提供する。
【０００７】
上述のLEDカラーバルブを実際にライトとして用いる際、図４，５に示すように、該LEDカラーバルブ１をライト５０中に設置し、該ライト５０を天井や壁等の所望の位置に設置し、該カラーバルブ３４に電源を外接し、使用者が赤外線リモコン４０により該カラーバルブ１中のLEDチップ部をコントロールすることで点灯、消灯させる。また図６に示すように、該赤外線リモコン４０は該LEDバルブ１の方向に向けて特定の赤外線シグナルを発するが、該カップ部１０の導光孔１３中に導光棒１４を設置していない（図無し）場合は、該赤外線シグナルは該カップ部１０上の導光孔を経て直接赤外線センサに向かうが、図４，５に示すように該導光孔１３中に導光棒１４が設置されている場合では、該赤外線シグナルは導光棒１４先端より直接進入し、該導光棒１４内での全反射による導引作用により、該赤外線シグナルを末端の赤外線センサ３３に向かわせる。更にコントロール回路３１上に伝送され、該コントロール回路３１が発する赤外線シグナルがカラーLEDバルブを点灯或いは消灯させる、若しく発光の色合いやその他モードや明るさを調整するものとする。
本発明で用いられる該赤外線センサ３３は、該カップ部１０末端外側に設置され、該LEDチップ部が発光する際に生じる熱より遠ざけられており、こうすることで熱による破損や感知機能に支障を来たすのを防止すると同時に、該導光棒１４により赤外線シグナルを精確に導き、リモコン機能の正常な働きを確保する。また熱伝導性を具有する該カップ部１０及び該基板２１の設計により、該LEDチップ部が発光する際に生じる熱が該基板２１から該カップ部１０に伝導され、放熱面積が拡大されることで効果的な放熱機能を提供する。
【０００８】
図７に示すように、本発明のLEDカラーバルブ１の第三実施例では、高ワットLEDカラーバルブ１に同様にしてカップ部１０、LEDモジュール２０並びにコントロール回路３０’が設けられるが、該導光孔１３（或いは導光棒１４を増設）を具有するカップ部１０、LEDモジュール２０及びコントロール回路３１’が内設されるホルダ３０’が含まれ、これらは前述の第一実施例同様であるため、敢えて詳細は記さない。では第一実施例と異なる点として、該ホルダ３０内には電気的にコントロール回路３１’を接続するＡＣＤＣコンバータ３５’を具有し、該ホルダ３０末端にバルブアダプタ３４’が螺設され、該バルブアダプタ３４’の二つの電極がそれぞれ該ＡＣＤＣコンバータ３５’の二つの電極に連結され、該高ワットのLEDカラーバルブ１が現在一般的に使用されているソケットに直接装着されて電源と連結される。或いは図８に示すように、第四実施例では、前述の螺合タイプのバルブアダプタ３４’の部分を二本のT字型の金属ピンによる電極とする。こうすることで赤外線リモコンによってLEDカラーバルブ中のLEDチップ部の点灯と消灯をコントロールする、或いは該赤外線リモコンにより該LEDカラーバルブより発せられる光の色合いを調整するものとするが、コントロール方法は上述の第一実施例と同じであるため、敢えて詳細は記さない。
【図面の簡単な説明】
【０００９】
【図１】本発明の赤外線リモコン機能を具有する高ワット発光ダイオード（LED）における第一実施例を示す立体分解図である。
【図２】本発明の赤外線リモコン機能を具有する高ワット発光ダイオード（LED）における第二実施例を示す立体分解図である。
【図３】本発明の赤外線リモコン機能を具有する高ワット発光ダイオード（LED）をライトとして応用した際における第一実施例を示す立体分解図である。
【図４】本発明の赤外線リモコン機能を具有する高ワット発光ダイオード（LED）をライトとして応用した際における第一実施例の局部断面図である。
【図５】図４で示す第一実施例において、多数の反射面を具有する透光部を用いたもう一つの実施例を示す局部断面図である。
【図６】図４，５に示す実施例の使用状態を示す図である。
【図７】本発明の赤外線リモコン機能を具有する高ワット発光ダイオード（LED）における第三実施例を示す局部断面図である。
【図８】本発明の赤外線リモコン機能を具有する高ワット発光ダイオード（LED）における第四実施例を示す局部断面図である。
【符号の説明】
【００１０】
１  高ワット発光ダイオード（LED）によるカラーバルブ
１０  カップ部
１１  放熱フィン
１２  穿孔
１３  導光孔
１４  導光棒
１５a、１５b  透光部
１６  連結部
２０  発光ダイオード（LED）モジュール
２１  チップ
２２  発光ダイオード（LED）チップ部
２３  光混光件  
２４  基板
３０’ホルダ
３１  コントロール回路
３２  連結部
３３’赤外線センサ
３４’バルブアダプタ
３４”バルブアダプタ
３５’ＡＣＤＣコンバータ
４０  赤外線リモコン
５０  ライト
【図１】
2006190669.tif 000003
【図２】
2006190669.tif 000004
【図３】
2006190669.tif 000005
【図４】
2006190669.tif 000006
【図５】
2006190669.tif 000007
【図６】
2006190669.tif 000008
【図７】
2006190669.tif 000009
【図８】
2006190669.tif 000010